(57)【要約】【課題】低コストで重要物を管理できるとともに、アクセスの効率向上とスペースの有効利用とを両立可能な重要物管理装置の提供。【解決手段】被管理物の保管を行う保管手段を管理種別毎に有するユニット３（Ａ）〜３（Ｃ）を複数備え、これらユニット３（Ａ）〜３（Ｃ）がネットワーク１２で接続されて複数のフロア６，８，１０上に分散して設置されており、情報が入力される入力手段と、入力手段に入力された使用者識別情報に基づいて使用者を特定する使用者特定手段と、使用者特定手段の特定結果に基づいて保管手段に対する被管理物の持ち出しおよび返却の可否を制御する制御手段とを備える。【選択図】図１
2012112096.tif 000002
【特許請求の範囲】
【請求項１】
被管理物の保管を行う保管手段を管理種別毎に有するユニットを複数備え、
これらユニットがネットワークで接続されて複数のフロア上に分散して設置されており、
情報が入力される入力手段と、
該入力手段に入力された使用者識別情報に基づいて使用者を特定する使用者特定手段と、
該使用者特定手段の特定結果に基づいて前記保管手段に対する前記被管理物の持ち出しおよび返却の可否を制御する制御手段と、
を備えた重要物管理装置。
【請求項２】
前記入力手段に入力された前記被管理物の被管理物識別情報に基づいて該被管理物が保管されている前記保管手段を検索する検索手段と、
該検索手段による検索結果を表示する表示手段と、を備えることを特徴とする請求項１記載の重要物管理装置。
【請求項３】
前記入力手段および前記表示手段が、複数の前記ユニットそれぞれに設けられており、
前記検索手段は、前記入力手段に入力された前記被管理物の被管理物識別情報に基づいて、該被管理物が保管されている前記保管手段を複数の前記ユニットに対し検索し、
前記検索手段による検索結果を、当該検索結果の基になる前記被管理物の被管理物識別情報が入力された前記入力手段を有する前記ユニットに設けられた前記表示手段に表示させることを特徴とする請求項２記載の重要物管理装置。
【発明の詳細な説明】
【技術分野】
【０００１】
本発明は、重要物を保管する重要物管理装置に関する。
【背景技術】
【０００２】
金融機関等においては、建屋に専用の金庫室を設け、この金庫室に重要物を保管するのが一般的であり、その中には、金庫室を移動可能な金庫函体で覆う技術がある（例えば、特許文献１参照）。
【先行技術文献】
【特許文献】
【０００３】
【特許文献１】特公昭６１−３０１１６号公報
【発明の概要】
【発明が解決しようとする課題】
【０００４】
しかしながら、専用の金庫室を建屋に構築するには、高額な設置コストが必要となってしまう。
【０００５】
また、重要物には、例えば現金や小切手等のように金庫室へのアクセス（持ち出し・返却）の頻度が高いものもあれば、逆に極めてアクセスの頻度が低く、例えば使用済みの古い通帳等のように便宜上の保管だけを目的とするものもある。このような様々な管理種別の重要物を一カ所の金庫室内で保管すると、アクセスの効率向上とスペースの有効利用とを両立できないという課題が生じる。つまり、例えば、アクセスし難い場所に金庫室が設置された場合、アクセス頻度が高いものへのアクセスが面倒となり、効率が低下してしまう。逆に、アクセスし易い場所に金庫室が設置された場合、便宜上の保管だけを目的とする重要物の保管スペースが金庫室内でデッドスペース化してしまい、アクセスし易い良好なスペースを有効利用できないという課題が生じる。
【０００６】
したがって、本発明は、低コストで重要物を管理できるとともに、アクセスの効率向上とスペースの有効利用とを両立可能な重要物管理装置の提供を目的とする。
【課題を解決するための手段】
【０００７】
上記目的を達成するために、請求項１に係る発明は、被管理物の保管を行う保管手段を管理種別毎に有するユニットを複数備え、これらユニットがネットワークで接続されて複数のフロア上に分散して設置されており、情報が入力される入力手段と、該入力手段に入力された使用者識別情報に基づいて使用者を特定する使用者特定手段と、該使用者特定手段の特定結果に基づいて前記保管手段に対する前記被管理物の持ち出しおよび返却の可否を制御する制御手段と、を備えている。
【０００８】
請求項２に係る発明は、請求項１に係る発明において、前記入力手段に入力された前記被管理物の被管理物識別情報に基づいて該被管理物が保管されている前記保管手段を検索する検索手段と、該検索手段による検索結果を表示する表示手段と、を備えることを特徴とする。
【０００９】
請求項３に係る発明は、請求項２に係る発明において、前記入力手段および前記表示手段が、複数の前記ユニットそれぞれに設けられており、前記検索手段は、前記入力手段に入力された前記被管理物の被管理物識別情報に基づいて、該被管理物が保管されている前記保管手段を複数の前記ユニットに対し検索し、前記検索手段による検索結果を、当該検索結果の基になる前記被管理物の被管理物識別情報が入力された前記入力手段を有する前記ユニットに設けられた前記表示手段に表示させることを特徴とする。
【発明の効果】
【００１０】
請求項１に係る発明は、被管理物の保管を行う保管手段を管理種別毎に有するユニットを複数備え、これらユニットがネットワークで接続されて複数のフロア上に分散して設置される。そして、入力手段に使用者識別情報が入力されると、使用者特定手段が使用者を特定し、この特定結果に基づいて制御手段が保管手段に対する被管理物の持ち出しおよび返却の可否を制御する。このように、保管手段を管理種別毎に有してフロア上に設置されることにより、金庫室の代わりに重要物を管理することができるため、専用の金庫室を建屋に構築する場合と比べて、コストを大幅に低減することができる。また、保管手段を管理種別毎に有する複数のユニットが複数のフロア上に分散して設置されるため、アクセスし易いフロアとアクセスし難いフロアとに分散して重要物を保管できる。よって、アクセスの効率向上とスペースの有効利用とを両立可能となる。
【００１１】
請求項２に係る発明によれば、検索手段が、入力手段に入力された被管理物の被管理物識別情報に基づいて、この被管理物が保管されている保管手段を検索することになり、この検索手段による検索結果を表示手段に表示させることになる。したがって、被管理物を保管している保管手段を容易に捜すことができ、所望の被管理物を保管している保管手段に容易にアクセスすることができる。
【００１２】
請求項３に係る発明によれば、検索手段が、入力手段に入力された被管理物の被管理物識別情報に基づいて、この被管理物が保管されている保管手段を複数のユニットに対し検索することになり、この検索手段による検索結果を、当該検索結果の基になる被管理物の被管理物識別情報が入力された入力手段を有するユニットに設けられた表示手段に表示させることになる。したがって、いずれのユニットの入力手段への入力で検索を行っても、複数のユニットにわたって被管理物を保管している保管手段を検索できることになり、その検索結果をアクセスしたユニットの表示手段で確認することができる。よって、被管理物を保管している保管手段を確実に捜すことができ、所望の被管理物を保管している保管手段にさらに容易にアクセスすることができる。
【図面の簡単な説明】
【００１３】
【図１】本発明の一実施形態に係る重要物管理装置の各フロアの設置状態を示す平面図である。
【図２】本発明の一実施形態に係る重要物管理装置のメインユニットを示す正面図である。
【図３】本発明の一実施形態に係る重要物管理装置のメインユニットおよび被管理物を示すブロック図である。
【図４】本発明の一実施形態に係る重要物管理装置のサブユニットを示す正面図である。
【図５】本発明の一実施形態に係る重要物管理装置のサブユニットおよび被管理物を示すブロック図である。
【図６】本発明の一実施形態に係る重要物管理装置の別のサブユニットを示す正面図である。
【図７】本発明の一実施形態に係る重要物管理装置の別のサブユニットおよび被管理物を示すブロック図である。
【発明を実施するための形態】
【００１４】
本発明の一実施形態に係る重要物管理装置を図面を参照して以下に説明する。
本実施形態に係る重要物管理装置は、図１に示すように、金融機関の建屋２にいずれも別途設置される複数のメインユニット３（Ａ）、サブユニット３（Ｂ）およびサブユニット３（Ｃ）で構成されるものである。
【００１５】
メインユニット３（Ａ）は、金融機関店舗の例えば１階の職員と顧客とが行き来する職員／顧客共用スペース５に設置されるもので、具体的には職員／顧客共用スペースのうちの顧客の行き来が制限される職員用の執務スペースのフロア６上に設置されている。この職員／顧客共用スペース５は顧客および職員が両方居ることから、顧客応対を主たる業務としている金融機関店舗において職員が最もアクセスし易いフロアとなっている。メインユニット３（Ａ）には、アクセス頻度が高く重要度ランクが高い重要物が保管される。
【００１６】
サブユニット３（Ｂ）は、金融機関店舗の例えば２階の職員のみが立ち入り可能な職員スペース７のフロア８上に設置されている。この職員スペース７は、職員／顧客共用スペース５から離れているため、顧客応対を主たる業務としている金融機関店舗において職員がアクセスし難いフロアとなっている。サブユニット３（Ｂ）には、アクセス頻度が低く重要度ランクが高い重要物が保管される。
【００１７】
サブユニット３（Ｃ）は、金融機関店舗の例えば地下２階にあって職員のみが立ち入り可能であり且つ職員もほとんど立ち入ることがない倉庫スペース９のフロア１０上に設置されている。この倉庫スペース９も、職員／顧客共用スペース５から離れているため、顧客応対を主たる業務としている金融機関店舗において職員がアクセスし難いフロアとなっている。サブユニット３（Ｃ）には、さらにアクセス頻度が低く、重要度ランクも比較的高くない重要物が保管される。
【００１８】
つまり、本実施形態に係る重要物管理装置は、複数のユニット３（Ａ）〜３（Ｃ）が複数のフロア５，７，９上に分散して設置されて構成されている。これらのユニット３（Ａ）〜３（Ｃ）はＬＡＮ等のネットワーク１２で相互に通信可能に接続されている。
【００１９】
メインユニット３（Ａ）は、図２に示すように、オープン型のものであり、コンポーネント化された複数個の耐火構造の保管体２１が選択的に組み合わせられて構成される装置本体２２（Ａ）を備えている。保管体２１は、図３に示す被管理物２３の保管を行うもので、管理種別毎に設けられている。図２に示すように、保管体２１には、大小異なる二つの大きさのものがあり、大きいものには、縦長および横長の二種類がある。
【００２０】
具体的に、装置本体２２（Ａ）は、前面側に引き出される引き出し式であって図３に示す被管理物２３としての比較的新しい通帳２３（ａ）を収納する保管部（保管手段）２４（ａ）が上下に二段設けられた小の保管体２１（ａ）と、前面側に引き出される引き出し式であって被管理物２３としての大束紙幣２３（ｂ１）、小束紙幣２３（ｂ２）および棒金２３（ｂ３）を収納する保管部（保管手段）２４（ｂ）が上下に二段設けられた横長の大の保管体２１（ｂ）と、前面側に引き出される引き出し式であって被管理物２３としての硬貨収納袋２３（ｃ）を収納する保管部（保管手段）２４（ｃ）が上下に二段設けられた横長の大の保管体２１（ｃ）とを有している。
【００２１】
また、装置本体２２（Ａ）は、個々に対応する被管理物２３としての鍵２３（ｄ）を保持する保管部（保管手段）２４（ｄ）が前面側に複数設けられた小の保管体２１（ｄ）と、前面側に引き出される引き出し式であって個々に対応する被管理物２３としてのＩＤカード２３（ｅ）を収納する保管部（保管手段）２４（ｅ）が複数設けられた小の保管体２１（ｅ）と、前面側に引かれて揺動する片側扉式であって、図示略の鍵を保持する鍵保持部が複数設けられた被管理物２３としての鍵管理機２３（ｆ）を収納する保管部（保管手段）２４（ｆ）が一カ所のみ設けられた縦長の大の保管体２１（ｆ）と、前面側に引き出される引き出し式であって被管理物２３としての小切手２３（ｇ）を収納する保管部（保管手段）２４（ｇ）が上下に二段設けられた小の保管体２１（ｇ）とを有している。鍵管理機２３（ｆ）に保持される鍵は、例えば現金処理機の起動用および各部開閉用等のものである。
【００２２】
また、装置本体２２（Ａ）は、前面側に引かれて揺動する片側扉式の保管部（保管手段）２４（ｈ）が一カ所のみ設けられた小の保管体２１（ｈ）と、前面側に引かれて揺動する両側扉式の保管部（保管手段）２４（ｉ）が一カ所のみ設けられた小の保管体２１（ｉ）と、前面側に引かれて揺動する扉式および前面側に引き出される引き出し式の二種類の保管部（保管手段）２４（ｊ）が組み合わされた小の保管体２１（ｊ）と、前面側に引かれて揺動する片側扉式の保管部（保管手段）２４（ｋ）が一カ所のみ設けられた縦長の大の保管体２１（ｋ）と、前面側に引き出される引き出し式の保管部（保管手段）２４（ｌ）が上下に二段設けられた縦長の大の保管体２１（ｌ）とを有している。
【００２３】
ここで、小の保管体２１は、正面視正方形をなしており、大の保管体２１は、小の保管体２１と奥行きは同じであるものの、その一つが、小の保管体２１を複数、具体的には二つ組み合わせたものと正面視が同じ大きさとなっている。よって、大の縦長の保管体２１に対して同じ高さ範囲に二つの小の保管体２１を上下に配置するとこれらの高さが一致することになり、大の横長の保管体２１に対して同じ幅範囲に二つの小の保管体２１を左右に配置するとこれらの幅が一致することになる。保管体２１は、少なくとも大小異なる二つの大きさのものがあれば良く、例えば、大小異なる三つ以上の大きさのものがあっても良い。大小異なる三つの大きさの保管体２１がある場合、大の保管体２１を小の保管体２１の三つを並べた大きさとし、中の保管体２１を小の保管体２１の二つを並べた大きさとしたり、大の保管体２１を小の保管体２１の四つを並べた大きさとし、中の保管体２１を小の保管体２１の二つを並べた大きさとしたりすることができる。
【００２４】
各保管部２４には、それぞれを閉状態でロックする電磁式の図３に示すロック機構２７が設けられており、このロック機構２７は、ロック解除信号が入力されると保管部２４を開放可能にロックを解除する一方、ロック信号が入力されると保管部２４を閉状態でロックする。また、各保管部２４には、それぞれの開閉状態を検出する開閉検知センサ２８が設けられている。
【００２５】
また、各被管理物２３には、それぞれ個別のＩＣタグ２９が貼付されている。ＩＣタグ２９には、貼付先の被管理物２３の、通帳、大束紙幣、小束紙幣、棒金、硬貨収納袋、鍵、ＩＤカード、鍵管理機および小切手等の管理種別を含んでそれぞれを識別するための被管理物識別情報が記憶されている。
【００２６】
各保管部２４には、それぞれ、各保管部２４内にあるＩＣタグ２９のみから被管理物識別情報を読み出すＩＣタグリーダ３０が設けられている。つまり、このＩＣタグリーダ３０は、被管理物２３に設けられたＩＣタグ２９の被管理物識別情報の読み出しの有無により、保管体２１の各保管部２４の個々の被管理物２３の保管の有無および特定を行う。なお、被管理物識別情報は、被管理物２３の上記した管理種別を示す管理種別情報と、被管理物の個別の識別情報とを含んでいる。
【００２７】
具体的に、通帳２３（ａ）にはＩＣタグ２９（ａ）が貼付されており、通帳２３（ａ）を保管する保管体２１（ａ）の各保管部２４（ａ）には、それぞれロック機構２７（ａ）、開閉検知センサ２８（ａ）およびＩＣタグリーダ３０（ａ）が設けられている。同様に、大束紙幣２３（ｂ１）にはＩＣタグ２９（ｂ１）が、小束紙幣２３（ｂ２）にはＩＣタグ２９（ｂ２）が、棒金２３（ｂ３）にはＩＣタグ２９（ｂ３）が貼付されており、これらを保管する各保管部２４（ｂ）には、それぞれロック機構２７（ｂ）、開閉検知センサ２８（ｂ）およびＩＣタグリーダ３０（ｂ）が設けられている。同様に、硬貨収納袋２３（ｃ）にはＩＣタグ２９（ｃ）が貼付されており、硬貨収納袋２３（ｃ）を保管する各保管部２４（ｃ）には、それぞれロック機構２７（ｃ）、開閉検知センサ２８（ｃ）およびＩＣタグリーダ３０（ｃ）が設けられている。
【００２８】
鍵２３（ｄ）にはＩＣタグ２９（ｄ）が貼付されており、鍵２３（ｄ）を保管する各保管部２４（ｄ）には、それぞれ鍵２３（ｄ）を装着状態である閉状態でロックするロック機構２７（ｄ）、装着状態である閉状態にあるか取り外し可能な開状態にあるかを検知する開閉検知センサ２８（ｄ）およびＩＣタグリーダ３０（ｄ）が設けられている。
【００２９】
ＩＤカード２３（ｅ）にはＩＣタグ２９（ｅ）が貼付されており、ＩＤカード２３（ｅ）を保管する各保管部２４（ｅ）には、それぞれロック機構２７（ｅ）、開閉検知センサ２８（ｅ）およびＩＣタグリーダ３０（ｅ）が設けられている。鍵管理機２３（ｆ）にはＩＣタグ２９（ｆ）が貼付されており、鍵管理機２３（ｆ）を保管する保管部２４（ｆ）には、ロック機構２７（ｆ）、開閉検知センサ２８（ｆ）およびＩＣタグリーダ３０（ｆ）が設けられている。小切手２３（ｇ）には、ＩＣタグ２９（ｇ）が貼付されており、小切手２３（ｇ）を保管する保管部２４（ｇ）には、ロック機構２７（ｇ）、開閉検知センサ２８（ｇ）およびＩＣタグリーダ３０（ｇ）が設けられている。
【００３０】
同様にして、保管体２１（ｈ）の保管部２４（ｈ）には、それぞれロック機構２７（ｈ）、開閉検知センサ２８（ｈ）およびＩＣタグリーダ３０（ｈ）が設けられ、保管部２４（ｈ）に保管される被管理物２３（ｈ）には、ＩＣタグ２９（ｈ）が貼付されている。保管体２１（ｉ）の保管部２４（ｉ）には、それぞれロック機構２７（ｉ）、開閉検知センサ２８（ｉ）およびＩＣタグリーダ３０（ｉ）が設けられ、保管部２４（ｉ）に保管される被管理物２３（ｉ）には、ＩＣタグ２９（ｉ）が貼付されている。保管体２１（ｊ）の保管部２４（ｊ）には、それぞれロック機構２７（ｊ）、開閉検知センサ２８（ｊ）およびＩＣタグリーダ３０（ｊ）が設けられ、保管部２４（ｊ）に保管される被管理物２３（ｊ）には、ＩＣタグ２９（ｊ）が貼付されている。保管体２１（ｋ）の保管部２４（ｋ）には、それぞれロック機構２７（ｋ）、開閉検知センサ２８（ｋ）およびＩＣタグリーダ３０（ｋ）が設けられ、保管部２４（ｋ）に保管される被管理物２３（ｋ）には、ＩＣタグ２９（ｋ）が貼付されている。保管体２１（ｌ）の保管部２４（ｌ）には、それぞれロック機構２７（ｌ）、開閉検知センサ２８（ｌ）およびＩＣタグリーダ３０（ｌ）が設けられ、保管部２４（ｌ）に保管される被管理物２３（ｌ）には、ＩＣタグ２９（ｌ）が貼付されている。
【００３１】
また、メインユニット３（Ａ）は、図２に示すように、前面側に使用者により情報の入力が行われる操作部（入力手段）３５（Ａ）および使用者に表示を行う表示部（表示手段）３６（Ａ）を有し、図３に示すように、メインユニット３（Ａ）を制御する制御部（使用者特定手段，制御手段，検索手段）３７（Ａ）と、制御プログラム等を記憶するＲＯＭ３８（Ａ）と、管理データ等を記憶するＲＡＭ３９（Ａ）と、ネットワーク１２を介してサブユニット３（Ｂ），３（Ｃ）と通信を行う通信部４０（Ａ）とを有する図２に示す制御装置４１（Ａ）を有している。この制御装置４１（Ａ）は、操作部３５（Ａ）、表示部３６（Ａ）、制御部３７（Ａ）、ＲＯＭ３８（Ａ）およびＲＡＭ３９（Ａ）を含んでコンポーネント化されており、小の保管体２１と正面視で同じ大きさをなしている。そして、メインユニット３（Ａ）は、この制御装置４１（Ａ）に複数個の保管体２１が選択的に組み合わせられて構成されるようになっている。
【００３２】
また、メインユニット３（Ａ）は、小の保管体２１と同じ大きさにコンポーネント化されたフリー空間形成体４５を有している。ここで、メインユニット３（Ａ）は、上記した制御装置４１（Ａ）に複数個の保管体２１が選択的に組み合わせられて全体として正面視が矩形状をなすことになり、その際に、制御装置４１（Ａ）も保管体２１も配置されない部分を埋めるようにフリー空間形成体４５が配置される。フリー空間形成体４５は枠状をなしており、内側が空間となっている。フリー空間形成体４５が配置されたスペースには、これと交換する形で、後に保管体２１を追加可能となっている。
【００３３】
そして、制御装置４１（Ａ）と、複数個の保管体２１およびフリー空間形成体４５の適宜のものとが、前面を揃えた状態で、隣り合うもの同士が図示略の連結具で連結されることで、正面視矩形状をなす装置本体２２（Ａ）が組み上がることになる。
【００３４】
具体的に、図２に示す装置本体２２（Ａ）には、通帳２３（ａ）を収納する小の保管体２１（ａ）が正面から見て左側の上側に上下二段に設けられており、その下側に縦長の大の保管体２１（ｌ）が一つ設けられている。また、これら保管体２１（ａ）および保管体２１（ｌ）の右隣に、縦長の大の保管体２１（ｋ）が上下二段に設けられ、これらの右隣に、上側から順に、制御装置４１（Ａ）、フリー空間形成体４５、小の保管体２１（ｇ）、小の保管体２１（ｈ）が設けられている。また、これらの右隣に、上側から順に、小の保管体２１（ｄ）、小の保管体２１（ｅ）、小の保管体２１（ｊ）、小の保管体２１（ｉ）が設けられ、これらの右隣に、上側から順に、小の保管体２１（ｄ）、小の保管体２１（ｅ）、横長の大の保管体２１（ｂ）、横長の大の保管体２１（ｃ）が設けられている。小の保管体２１（ｄ）、小の保管体２１（ｅ）の右隣であって、横長の大の保管体２１（ｂ）の上側に、縦長の大の保管体２１（ｆ）が設けられている。
【００３５】
さらに、この装置本体２２（Ａ）の後側には、各保管体２１と制御装置４１（Ａ）とを通信可能に接続する通信ケーブル等を配索するための図１に示す配索スペース形成カバー４７（Ａ）が図示略の連結具で取り付けられるおり、これにより、メインユニット３（Ａ）が構成されている。なお、高さおよび横幅の異なる配索スペース形成カバー４７が複数種類準備されることになり、いずれかの配索スペース形成カバー４７と正面視の大きさが合うように、制御装置４１と、複数個の保管体２１とを組み合わせ、必要によりフリー空間形成体４５をも組み合わせる。例えば、図２に示す、小の保管体２１四つ分の高さおよび小の保管体２１六つ分の幅を有する装置本体２２（Ａ）の背面を覆う、小の保管体２１四つ分の高さおよび小の保管体２１の六つ分の幅を有する図１に示す配索スペース形成カバー４７（Ａ）の他に、例えば、小の保管体２１四つ分の高さおよび小の保管体２１の五つ分の幅を有する幅を有する配索スペース形成カバー４７、小の保管体２１四つ分の高さおよび小の保管体２１の四つ分の幅を有する幅を有する配索スペース形成カバー４７、小の保管体２１四つ分の高さおよび小の保管体２１の三つ分の幅を有する幅を有する配索スペース形成カバー４７、小の保管体２１三つ分の高さおよび小の保管体２１の六つ分の幅を有する幅を有する配索スペース形成カバー４７等を、必要に応じて準備する。
【００３６】
上記のようにして組み立てられたメインユニット３（Ａ）が配索スペース形成カバー４７（Ａ）を壁に近接させて職員／顧客共用スペース５のフロア６上に設置されることになり、これにより、メインユニット３（Ａ）の制御装置４１（Ａ）の前面および複数個の保管体２１の前面が職員／顧客共用スペース５の室内側に向いて設置されることになる。なお、メインユニット３（Ａ）は必要により下部に転動ロック付きのキャスタ４８が取り付けられることになり、フロア６上での移設が可能になっている。
【００３７】
このようなメインユニット３（Ａ）においては、使用に当たって、使用者が操作部３５（Ａ）に、使用者ＩＤ番号の入力や使用者ＩＤカードの走査により、使用者識別情報を入力することになる。使用者識別情報が入力されると、制御部３７（Ａ）は、ＲＡＭ３９（Ａ）と照らし合わせてこの入力された使用者識別情報と一致する使用者識別情報がＲＡＭ３９（Ａ）に記憶されているか否かを判断する。制御部３７（Ａ）は、入力された使用者識別情報と一致する使用者識別情報がＲＡＭ３９（Ａ）に記憶されていなければ、入力された使用者識別情報が適正でない旨を表示部３６（Ａ）に表示させる。
【００３８】
制御部３７（Ａ）は、入力された使用者識別情報と一致する使用者識別情報がＲＡＭ３９（Ａ）に記憶されていれば、使用者がこの使用者識別情報を有する使用者であることを特定することになり、この特定された使用者識別情報に関連付けてＲＡＭ３９（Ａ）に記憶されている持ち出しおよび返却可能な被管理物２３の種別情報を読み出し、これら種別情報の中から、使用者に持ち出すあるいは返却する被管理物２３の種別情報の選択入力および被管理物識別情報の入力を促す表示を表示部３６（Ａ）に表示させる。ここで、この使用者識別情報に関連してＲＡＭ３９（Ａ）に記憶された持ち出しあるいは返却可能な被管理物２３の種別情報は、例えば使用者識別情報が一般職員である場合と管理職員である場合と等で異なる。
【００３９】
上記の表示にしたがって、使用者が持ち出すあるいは返却する被管理物２３の種別情報の選択入力、持ち出すか返却するかの選択入力、および被管理物識別情報の入力を操作部３５（Ａ）に行うと、制御部３７（Ａ）は、保管体２１の保管部２４のうち被管理物識別情報を有する被管理物２３を保管している保管部２４に対し被管理物２３の持ち出しおよび返却を許可し、そのロック機構２７にロック解除信号を出力してロックを解除する。つまり、制御部３７（Ａ）は、操作部３５（Ａ）に入力された使用者の特定結果である使用者識別情報と、被管理物識別情報とに基づいて保管体２１の保管部２４に対する被管理物２３の持ち出しおよび返却の可否を制御する。
【００４０】
ロックが解除された保管体２１の保管部２４に対して、使用者がこれを開放して、被管理物２３の持ち出しあるいは返却を行い、これを閉じる。すると、この保管部２４に設けられた開閉検知センサ２８がこの保管部２４が閉状態になったことを検知することになり、これにより、制御部３７（Ａ）は、この保管部２４に設けられたロック機構２７にロック信号を出力して保管体２１の保管部２４をロックする。
【００４１】
そして、上記のようにして保管体２１の保管部２４の開閉が行われると、制御部３７（Ａ）は、開閉が行われた保管部２４に対してＩＣタグリーダ３０でＩＣタグ２９から被管理物識別情報を読み取り、この保管部２４の保管部識別情報に関連付けて、これらの被管理物識別情報を含む保管部２４内の被管理物２３の残存状況情報を日時情報および使用者識別情報とともにＲＡＭ３９（Ａ）に記憶する。
【００４２】
制御部３７（Ａ）は、この残存状況情報と、ＲＡＭ３９（Ａ）に記憶されている今回の開閉の直前の保管部２４内の被管理物２３の残存状況情報とから、開閉された保管部２４の被管理物２３のメインユニット３（Ａ）外への持ち出しおよびメインユニット３（Ａ）への返却の判定を行い、持ち出されあるいは返却された被管理物２３の被管理物識別情報が、この持ち出しあるいは返却に対して操作部３５（Ａ）に入力された被管理物識別情報と一致し且つ持ち出しおよび返却の選択入力と一致するか、否かを判定する。一致すれば、制御部３７（Ａ）は、正常と判断して、持ち出されたあるいは返却された被管理物識別情報と、持ち出されたか返却されたかの区別と、日時情報と、使用者識別情報とを、ＲＡＭ３９（Ａ）に記憶するとともに表示部３６（Ａ）に表示させる。他方、一致しなければ、異常と判断して、同様の情報をＲＡＭ３９（Ａ）に記憶するとともに表示部３６（Ａ）に表示させ、さらに表示部３６（Ａ）にアラーム表示を表示させる。
【００４３】
以上のようにして、制御部３７（Ａ）はメインユニット３（Ａ）での被管理物２３の出し入れの管理を行うことになり、ＲＡＭ３９（Ａ）には、メインユニット３（Ａ）に設けられたすべての保管部２４の保管部識別情報毎に、残存する被管理物２３の被管理物識別情報を含む残存状況情報が記憶されることになる。
【００４４】
サブユニット３（Ｂ）も、メインユニット３（Ａ）と同様、図４に示すように、複数個の保管体２１が組み合わせられて構成される装置本体２２（Ｂ）を備えている。
【００４５】
装置本体２２（Ｂ）は、前面側に引き出される引き出し式であって被管理物２３としての図５に示す融資債券類の証書２３（ｍ）を収納する保管部（保管手段）２４（ｍ）が上下に二段設けられた小の保管体２１（ｍ）が複数設けられている。保管体２１（ｍ）の各保管部２４（ｍ）には、それぞれ、メインユニット３（Ａ）と同様のロック機構２７（ｍ）および開閉検知センサ２８（ｍ）が設けられている。
【００４６】
また、被管理物２３としての融資債券類の証書２３（ｍ）には、証書の管理種別を含んでそれぞれを識別するための被管理物識別情報が記憶されたＩＣタグ２９（ｍ）が貼付されており、各保管部２４（ｍ）には、それぞれ、各保管部２４（ｍ）内にあるＩＣタグ２９（ｍ）のみから被管理物識別情報を読み出すＩＣタグリーダ３０（ｍ）が設けられている。
【００４７】
また、サブユニット３（Ｂ）は、メインユニット３（Ａ）と同様の、操作部（入力手段）３５（Ｂ）、表示部（表示手段）３６（Ｂ）、制御部（使用者特定手段，制御手段，検索手段）３７（Ｂ）、ＲＯＭ３８（Ｂ）およびＲＡＭ３９（Ｂ）と、ネットワーク１２を介してメインユニット３（Ａ）およびサブユニット３（Ｃ）と通信を行う通信部４０（Ｂ）とを有する図４に示す制御装置４１（Ｂ）を有している。
【００４８】
ここで、サブユニット３（Ｂ）も、上記した制御装置４１（Ｂ）に複数個の保管体２１が選択的に組み合わせられて全体として正面視が矩形状の装置本体２２（Ｂ）が組み上がることになる。さらに、この装置本体２２（Ｂ）の後側には、通信ケーブル等を配索するための図１に示す配索スペース形成カバー４７（Ｂ）が取り付けられることでサブユニット３（Ｂ）が構成されている。このようにして組み立てられたサブユニット３（Ｂ）が配索スペース形成カバー４７（Ｂ）を壁に近接させて、職員スペース７のフロア８上に設置されることになる。サブユニット３（Ｂ）にも下部に転動ロック付きのキャスタ４８が取り付けられている。
【００４９】
このようなサブユニット３（Ｂ）においても、メインユニット３（Ａ）と同様、使用に当たって、操作部３５（Ｂ）に使用者識別情報が入力されると、制御部３７（Ｂ）は、この入力された使用者識別情報と一致する使用者識別情報がＲＡＭ３９（Ｂ）に記憶されていれば、使用者がこの使用者識別情報を有する使用者であることを特定することになる。そして、この特定された使用者識別情報に関連付けてＲＡＭ３９（Ｂ）に記憶されている持ち出しあるいは返却可能な被管理物２３の種別情報が証書２３（ｍ）の種別情報を含んでいる場合に、持ち出すあるいは返却する証書２３（ｍ）の種別情報の選択入力および被管理物識別情報の入力を操作部３５（Ｂ）が行われると、制御部３７（Ｂ）は、この入力された被管理物識別情報を有する証書２３（ｍ）を収納している保管体２１（ｍ）の保管部２４（ｍ）に対し持ち出しおよび返却を許可し、そのロック機構２７（ｍ）にロック解除信号を出力してロックを解除する。つまり、制御部３７（Ｂ）も、操作部３５（Ｂ）に入力された使用者の特定結果である使用者識別情報と、被管理物識別情報とに基づいて保管体２１（ｍ）の保管部２４（ｍ）に対する被管理物２３である証書２３（ｍ）の持ち出しおよび返却の可否を制御する。
【００５０】
ロックが解除された保管体２１（ｍ）の保管部２４（ｍ）に対して、使用者がこれを開放して、証書（ｍ）の持ち出しあるいは返却を行い、これを閉じる。すると、この保管部２４（ｍ）に設けられた開閉検知センサ２８（ｍ）がこの保管部２４（ｍ）が閉状態になったことを検知することになり、これにより、制御部３７（Ｂ）は、この保管部２４（ｍ）に設けられたロック機構２７（ｍ）でこの保管部２４（ｍ）をロックする。
【００５１】
そして、上記のようにして保管部２４（ｍ）の開閉が行われると、制御部３７（Ｂ）は、開閉が行われた保管部２４（ｍ）に対してＩＣタグリーダ３０（ｍ）でＩＣタグ２９（ｍ）から被管理物識別情報を読み取り、この保管部２４（ｍ）の保管部識別情報に関連付けて、この被管理物識別情報を含む保管部２４（ｍ）内の証書２３（ｍ）の残存状況情報を日時情報および使用者識別情報とともにＲＡＭ３９（Ｂ）に記憶する。
【００５２】
制御部３７（Ｂ）は、この残存状況情報と、ＲＡＭ３９（Ｂ）に記憶されている今回の開閉の直前のこの保管部２４（ｍ）内の証書（ｍ）の残存状況情報とから、開閉された保管部２４（ｍ）の証書（ｍ）のサブユニット３（Ｂ）外への持ち出しおよびサブユニット３（Ｂ）への返却の判定を行い、持ち出されたあるいは返却された証書（ｍ）の被管理物識別情報が、この持ち出しあるいは返却に対して操作部３５（Ｂ）に入力された被管理物識別情報と一致し且つ持ち出しおよび返却の選択入力と一致するか、否かを判定する。一致すれば、制御部３７（Ｂ）は、正常と判断して、持ち出されたあるいは返却された被管理物識別情報と、持ち出されたか、返却されたかの区別と、日時情報と、使用者識別情報とを、ＲＡＭ３９（Ｂ）に記憶するとともに表示部３６（Ｂ）に表示させる。他方、一致しなければ、異常と判断して、同様の情報をＲＡＭ３９（Ｂ）に記憶するとともに表示部３６（Ｂ）に表示させ、さらに表示部３６（Ｂ）にアラーム表示を表示させる。
【００５３】
以上のようにして、制御部３７（Ｂ）はサブユニット３（Ｂ）での被管理物２３（ｍ）の出し入れの管理を行うことになり、ＲＡＭ３９（Ｂ）には、サブユニット３（Ｂ）に設けられたすべての保管部２４の保管部識別情報毎に、残存する被管理物２３（ｍ）の被管理物識別情報を含む残存状況情報が記憶されることになる。
【００５４】
サブユニット３（Ｃ）も、サブユニット３（Ｂ）と同様、図６に示すように、複数個の保管体２１が選択的に組み合わせられて構成される装置本体２２（Ｃ）を備えている。サブユニット３（Ｃ）には、例えば行政機関からの監査等がない限りはアクセスする機会が発生しない被管理物２３が収納される。
【００５５】
具体的に、装置本体２２（Ｃ）は、前面側に引き出される引き出し式であって被管理物２３としての使用済みの古い図７に示す通帳２３（ｎ）を収納する保管部（保管手段）２４（ｎ）が上下に二段設けられた小の保管体２１（ｎ）と、前面側に引き出される引き出し式であって被管理物２３としての古い図７に示す取引ジャーナル２３（ｏ）を収納する保管部（保管手段）２４（ｏ）が上下に二段設けられた小の保管体２１（ｏ）とがそれぞれ複数設けられている。
【００５６】
保管体２１（ｎ）の各保管部２４（ｎ）には、それぞれ、サブユニット３（Ｂ）と同様のロック機構２７（ｎ）と開閉検知センサ２８（ｎ）とが設けられている。また、被管理物２３としての古い通帳２３（ｎ）には、古い通帳２３（ｎ）の管理種別を含んでそれぞれを識別するための被管理物識別情報が記憶されたＩＣタグ２９（ｎ）が貼付されており、各保管部２４（ｎ）には、それぞれ、各保管部２４（ｎ）内にあるＩＣタグ２９（ｎ）のみから被管理物識別情報を読み出すＩＣタグリーダ３０（ｎ）が設けられている。
【００５７】
保管体２１（ｏ）の各保管部２４（ｏ）には、それぞれ、上記と同様のロック機構２７（ｏ）と開閉検知センサ２８（ｏ）とが設けられている。また、被管理物２３としての古い取引ジャーナル２３（ｏ）には、古い取引ジャーナル２３（ｏ）の管理種別を含んでそれぞれを識別するための被管理物識別情報が記憶されたＩＣタグ２９（ｏ）が貼付されており、各保管部２４（ｏ）には、それぞれ、各保管部２４（ｏ）内にあるＩＣタグ２９（ｏ）のみから被管理物識別情報を読み出すＩＣタグリーダ３０（ｏ）が設けられている。
【００５８】
また、サブユニット３（Ｃ）は、サブユニット３（Ｂ）と同様の、操作部（入力手段）３５（Ｃ）、表示部（表示手段）３６（Ｃ）、制御部（使用者特定手段，制御手段，検索手段）３７（Ｃ）、ＲＯＭ３８（Ｃ）およびＲＡＭ３９（Ｃ）と、ネットワーク１２を介してメインユニット３（Ａ）およびサブユニット３（Ｂ）と通信を行う通信部４０（Ｃ）とを有する図６に示す制御装置４１（Ｃ）を有している。
【００５９】
ここで、サブユニット３（Ｃ）も、上記した制御装置４１（Ｃ）に複数個の保管体２１（ｎ），２１（ｏ）が選択的に組み合わせられて全体として正面視が矩形状の装置本体２２（Ｃ）が組み上がることになる。さらに、この装置本体２２（Ｃ）の後側には、通信ケーブル等を配索するための図１に示す配索スペース形成カバー４７（Ｃ）が取り付けられており、これによりサブユニット３（Ｃ）が構成されている。サブユニット３（Ｃ）は、配索スペース形成カバー４７（Ｃ）を壁に近接させて、倉庫スペース９のフロア１０上に設置されることになる。サブユニット３（Ｃ）にも下部に転動ロック付きのキャスタ４８が取り付けられている。
【００６０】
このようなサブユニット３（Ｃ）においても、サブユニット３（Ｂ）と同様、使用に当たって、操作部３５（Ｃ）に使用者識別情報が入力されると、制御部３７（Ｃ）は、この使用者識別情報と一致する使用者識別情報がＲＡＭ３９（Ｃ）に記憶されていれば、使用者がこの使用者識別情報を有する使用者であることを特定することになる。そして、この特定された使用者識別情報に関連付けてＲＡＭ３９（Ｃ）に記憶されている持ち出しあるいは返却可能な被管理物２３の種別情報が、通帳２３（ｎ）あるいは取引ジャーナル２３（ｏ）の種別情報を含んでいる場合に、持ち出すあるいは返却する通帳２３（ｎ）あるいは取引ジャーナル２３（ｏ）の種別情報の選択入力と、被管理物識別情報との入力が操作部３５（Ｃ）に行われると、制御部３７（Ｃ）は、この入力された被管理物識別情報を有する通帳２３（ｎ）あるいは取引ジャーナル２３（ｏ）を収納している保管体２１の保管部２４に対し持ち出しおよび返却を許可し、そのロック機構２７にロック解除信号を出力してロックを解除する。つまり、制御部３７（Ｃ）も、操作部３５（Ｃ）に入力された使用者の特定結果である使用者識別情報および被管理物識別情報に基づいて保管体２１の保管部２４に対する被管理物２３の持ち出しおよび返却の可否を制御する。
【００６１】
ロックが解除された保管体２１の保管部２４に対して、使用者がこれを開放して、被管理物２３の持ち出しあるいは返却を行い、これを閉じる。すると、この保管部２４に設けられた開閉検知センサ２８がこの保管部２４が閉状態になったことを検知することになり、これにより、制御部３７（Ｃ）は、この保管部２４に設けられたロック機構２７でこの保管部２４をロックする。
【００６２】
そして、上記のようにして保管部２４の開閉が行われると、制御部３７（Ｃ）は、開閉が行われた保管部２４に対してＩＣタグリーダ３０でＩＣタグ２９から被管理物識別情報を読み取り、この保管部２４の保管部識別情報に関連付けて、これらの被管理物識別情報を含む保管部２４内の被管理物２３の残存状況情報を日時情報および使用者識別情報とともにＲＡＭ３９（Ｃ）に記憶する。
【００６３】
制御部３７（Ｃ）は、この残存状況情報と、ＲＡＭ３９（Ｃ）に記憶されている今回の開閉の直前のこの保管部２４内の被管理物２３の残存状況情報とから、開閉された保管部２４の被管理物２３のサブユニット３（Ｃ）外への持ち出しおよびサブユニット３（Ｃ）への返却の判定を行い、持ち出されたあるいは返却された被管理物２３の被管理物識別情報が、この持ち出しあるいは返却に対して操作部３５（Ｃ）に入力された被管理物識別情報と一致し且つ持ち出しおよび返却の選択入力と一致するか、否かを判定する。一致すれば、制御部３７（Ｃ）は、正常と判断して、持ち出されたあるいは返却された被管理物識別情報と、持ち出されたか返却されたかの区別と、日時情報と、使用者識別情報とを、ＲＡＭ３９（Ｃ）に記憶するとともに表示部３６（Ｃ）に表示させる。他方、一致しなければ、異常と判断して、同様の情報をＲＡＭ３９（Ｃ）に記憶するとともに表示部３６（Ｃ）に表示させ、さらに表示部３６（Ｃ）にアラーム表示を表示させる。
【００６４】
以上のようにして、制御部３７（Ｃ）はサブユニット３（Ｃ）での被管理物２３の出し入れの管理を行うことになり、ＲＡＭ３９（Ｃ）には、サブユニット３（Ｃ）に設けられたすべての保管部２４の保管部識別情報毎に、残存する被管理物２３の被管理物識別情報を含む残存状況情報が記憶されることになる。
【００６５】
ここで、メインユニット３（Ａ）においては、操作部３５（Ａ）へ任意のタイミングで別途の第１検索操作入力が行われ、操作部３５（Ａ）へ被管理物２３の被管理物識別情報が入力されると、制御部３７（Ａ）は、ＲＡＭ３９（Ａ）〜３９（Ｃ）に記憶された上記の最新の残存状況情報から、操作部３５（Ａ）に入力された被管理物識別情報を有する残存状況情報を検索し、この残存状況情報に含まれている保管部２４の、ユニットの識別情報を含む保管部識別情報を表示部３６（Ａ）に表示させるようになっている。つまり、制御部３７（Ａ）は、操作部３５（Ａ）に入力された被管理物２３の被管理物識別情報に基づいてこの被管理物２３が保管されている保管部２４をメインユニット３（Ａ）、サブユニット３（Ｂ）およびサブユニット３（Ｃ）に対し検索することになり、この検索結果を、この検索結果の基になる被管理物２３の被管理物識別情報が入力された操作部３５（Ａ）を有するメインユニット３（Ａ）に設けられた表示部３６（Ａ）に表示させる。なお、各ユニット３（Ａ）〜３（Ｃ）には、図示は略すが、使用者が視認可能な位置にユニット識別番号が表記され、各保管部２４にも閉状態で使用者が視認可能な位置に保管部識別番号が表記されており、表示部３６（Ａ）に表示させる検索結果は、入力された被管理物２３が保管されているユニット識別番号と保管部識別番号となる。
【００６６】
また、操作部３５（Ａ）へ任意のタイミングでの別途の第２検索操作入力が行われ、操作部３５（Ａ）へ保管部２４のユニットの識別情報を含む保管部識別情報（ユニット識別番号および保管部識別番号）が入力されると、制御部３７（Ａ）は、ＲＡＭ３９（Ａ）〜３９（Ｃ）に記憶された上記の最新の残存状況情報から、操作部３５（Ａ）に入力された保管部識別情報を有する残存状況情報を検索し、この残存状況情報に含まれているすべての被管理物識別情報を表示部３６（Ａ）に表示させるようになっている。つまり、指定された保管部２４内に保管対象となる被管理物２３の被管理物識別情報をすべて表示部３６（Ａ）に表示させる。そして、この表示の際には、保管部２４内の残存状況、つまり被管理物２３の保管有無の区別情報も併せて表示させるようになっている。
【００６７】
サブユニット３（Ｂ）においても、操作部３５（Ｂ）へ任意のタイミングで別途の第１検索操作入力が行われ、操作部３５（Ｂ）へ被管理物２３の被管理物識別情報が入力されると、制御部３７（Ｂ）は、ＲＡＭ３９（Ａ）〜３９（Ｃ）に記憶された上記の最新の残存状況情報から、操作部３５（Ｂ）に入力された被管理物識別情報を有する残存状況情報を検索し、この残存状況情報に含まれている保管部２４の、ユニットの識別情報を含む保管部識別情報を表示部３６（Ｂ）に表示させるようになっている。つまり、制御部３７（Ｂ）は、操作部３５（Ｂ）に入力された被管理物２３の被管理物識別情報に基づいてこの被管理物２３が保管されている保管部２４を、メインユニット３（Ａ）、サブユニット３（Ｂ）およびサブユニット３（Ｃ）に対し検索することになり、この検索結果を、この検索結果の基になる被管理物２３の被管理物識別情報が入力された操作部３５（Ｂ）を有するサブユニット３（Ｂ）に設けられた表示部３６（Ｂ）に上記と同様に表示させる。
【００６８】
また、操作部３５（Ｂ）へ任意のタイミングで別途の第２検索操作入力が行われ、操作部３５（Ｂ）へ保管部２４のユニットの識別情報を含む保管部識別情報が入力されると、制御部３７（Ｂ）は、ＲＡＭ３９（Ａ）〜３９（Ｃ）に記憶された上記の最新の残存状況情報から、操作部３５（Ｂ）に入力された保管部識別情報を有する残存状況情報を検索し、この残存状況情報に含まれているすべての被管理物識別情報を表示部３６（Ｂ）に表示させるようになっている。
【００６９】
サブユニット３（Ｃ）においても、操作部３５（Ｃ）へ任意のタイミングで別途の第１検索操作入力が行われ、操作部３５（Ｃ）へ被管理物２３の被管理物識別情報が入力されると、制御部３７（Ｃ）は、ＲＡＭ３９（Ａ）〜３９（Ｃ）に記憶された上記の最新の残存状況情報から、操作部３５（Ｃ）に入力された被管理物識別情報を有する残存状況情報を検索し、この残存状況情報に含まれている保管部２４の、ユニットの識別情報を含む保管部識別情報を表示部３６（Ｃ）に表示させるようになっている。つまり、制御部３７（Ｃ）は、操作部３５（Ｃ）に入力された被管理物２３の被管理物識別情報に基づいてこの被管理物２３が保管されている保管部２４をメインユニット３（Ａ）、サブユニット３（Ｂ）およびサブユニット３（Ｃ）に対し検索することになり、この検索結果を、この検索結果の基になる被管理物２３の被管理物識別情報が入力された操作部３５（Ｃ）を有するサブユニット３（Ｃ）に設けられた表示部３６（Ｃ）に上記と同様に表示させる。
【００７０】
また、操作部３５（Ｃ）へ任意のタイミングで別途の第２検索操作入力が行われ、操作部３５（Ｃ）へ保管部２４のユニットの識別情報を含む保管部識別情報が入力されると、制御部３７（Ｃ）は、ＲＡＭ３９（Ａ）〜３９（Ｃ）に記憶された上記の最新の残存状況情報から、操作部３５（Ｃ）に入力された保管部識別情報を有する残存状況情報を検索し、この残存状況情報に含まれているすべての被管理物識別情報を表示部３６（Ｃ）に表示させるようになっている。
【００７１】
具体的に、メインユニット３（Ａ）で検索を行う場合、メインユニット３（Ａ）の操作部３５（Ａ）へ、被管理物識別情報の指定操作入力が行われると、制御部３７（Ａ）は、まず、メインユニット３（Ａ）のＲＡＭ３９（Ａ）に記憶された最新の残存状況情報から、操作部３５（Ａ）に入力された被管理物識別情報を有する残存状況情報を検索し、入力された被管理物識別情報を有する残存状況情報があれば、この残存状況情報に含まれている保管部２４の、ユニットの識別情報を含む保管部識別情報を表示部３６（Ａ）のみに表示させるようになっている。
【００７２】
他方、ＲＡＭ３９（Ａ）に記憶された最新の残存状況情報に、入力された被管理物識別情報を有する残存状況情報がなければ、ネットワーク１２を介して通信して、サブユニット３（Ｂ）のＲＡＭ３９（Ｂ）に記憶された最新の残存状況情報から、入力された被管理物識別情報を有する残存状況情報を検索し、入力された被管理物識別情報を有する残存状況情報があれば、この残存状況情報に含まれている保管部２４の、ユニットの識別情報を含む保管部識別情報を表示部３６（Ａ）のみに表示させるようになっている。
【００７３】
また、ＲＡＭ３９（Ｂ）に記憶された最新の残存状況情報に、入力された被管理物識別情報を有する残存状況情報がなければ、ネットワーク１２を介して通信して、サブユニット３（Ｃ）のＲＡＭ３９（Ｃ）に記憶された最新の残存状況情報から、入力された被管理物識別情報を有する残存状況情報を検索し、入力された被管理物識別情報を有する残存状況情報があれば、この残存状況情報に含まれている保管部２４の、ユニットの識別情報を含む保管部識別情報を表示部３６（Ａ）のみに表示させるようになっている。なお、ＲＡＭ３９（Ｃ）の最新の残存状況情報にも、入力された被管理物識別情報を有する残存状況情報がなければ、入力された被管理物識別情報が見つからない旨を表示部３６（Ａ）のみに表示させるようになっている。
【００７４】
サブユニット３（Ｂ）で検索を行う場合、サブユニット３（Ｂ）の操作部３５（Ｂ）へ、被管理物識別情報の指定操作入力が行われると、制御部３７（Ｂ）は、まず、サブユニット３（Ｂ）のＲＡＭ３９（Ｂ）に記憶された最新の残存状況情報から、操作部３５（Ｂ）に入力された被管理物識別情報を有する残存状況情報を検索し、入力された被管理物識別情報を有する残存状況情報があれば、この残存状況情報に含まれている保管部２４の、ユニットの識別情報を含む保管部識別情報を表示部３６（Ｂ）のみに表示させるようになっている。
【００７５】
他方、ＲＡＭ３９（Ｂ）に記憶された最新の残存状況情報に、入力された被管理物識別情報を有する残存状況情報がなければ、ネットワーク１２を介して通信して、メインユニット３（Ａ）のＲＡＭ３９（Ａ）に記憶された最新の残存状況情報から、入力された被管理物識別情報を有する残存状況情報を検索し、入力された被管理物識別情報を有する残存状況情報があれば、この残存状況情報に含まれている保管部２４の、ユニットの識別情報を含む保管部識別情報を表示部３６（Ｂ）のみに表示させるようになっている。
【００７６】
また、ＲＡＭ３９（Ａ）に記憶された最新の残存状況情報に、入力された被管理物識別情報を有する残存状況情報がなければ、ネットワーク１２を介して通信して、サブユニット３（Ｃ）のＲＡＭ３９（Ｃ）に記憶された最新の残存状況情報から、入力された被管理物識別情報を有する残存状況情報を検索し、入力された被管理物識別情報を有する残存状況情報があれば、この残存状況情報に含まれている保管部２４の、ユニットの識別情報を含む保管部識別情報を表示部３６（Ｂ）のみに表示させるようになっている。なお、ＲＡＭ３９（Ｃ）の最新の残存状況情報にも、入力された被管理物識別情報を有する残存状況情報がなければ、入力された被管理物識別情報が見つからない旨を表示部３６（Ｂ）のみに表示させるようになっている。
【００７７】
サブユニット３（Ｃ）で検索を行う場合、サブユニット３（Ｃ）の操作部３５（Ｃ）へ、被管理物識別情報の指定操作入力が行われると、制御部３７（Ｃ）は、まず、サブユニット３（Ｃ）のＲＡＭ３９（Ｃ）に記憶された最新の残存状況情報から、操作部３５（Ｃ）に入力された被管理物識別情報を有する残存状況情報を検索し、入力された被管理物識別情報を有する残存状況情報があれば、この残存状況情報に含まれている保管部２４の、ユニットの識別情報を含む保管部識別情報を表示部３６（Ｃ）のみに表示させるようになっている。
【００７８】
他方、ＲＡＭ３９（Ｃ）に記憶された最新の残存状況情報に、入力された被管理物識別情報を有する残存状況情報がなければ、ネットワーク１２を介して通信して、メインユニット３（Ａ）のＲＡＭ３９（Ａ）に記憶された最新の残存状況情報から、入力された被管理物識別情報を有する残存状況情報を検索し、入力された被管理物識別情報を有する残存状況情報があれば、この残存状況情報に含まれている保管部２４の、ユニットの識別情報を含む保管部識別情報を表示部３６（Ｃ）のみに表示させるようになっている。
【００７９】
また、ＲＡＭ３９（Ａ）に記憶された最新の残存状況情報に、入力された被管理物識別情報を有する残存状況情報がなければ、ネットワーク１２を介して通信して、サブユニット３（Ｂ）のＲＡＭ３９（Ｂ）に記憶された最新の残存状況情報から、入力された被管理物識別情報を有する残存状況情報を検索し、入力された被管理物識別情報を有する残存状況情報があれば、この残存状況情報に含まれている保管部２４の、ユニットの識別情報を含む保管部識別情報を表示部３６（Ｃ）のみに表示させるようになっている。なお、ＲＡＭ３９（Ｂ）の最新の残存状況情報にも、入力された被管理物識別情報を有する残存状況情報がなければ、入力された被管理物識別情報が見つからない旨を表示部３６（Ｃ）のみに表示させるようになっている。
【００８０】
以上に述べた本実施形態の重要物管理装置によれば、被管理物２３の保管を行う保管部２４を管理種別毎に有する複数のユニット３（Ａ）〜３（Ｃ）を備え、これらユニット３（Ａ）〜３（Ｃ）がネットワーク１２で接続されて複数のフロア６，８，１０上に分散して設置される。そして、複数のユニット３（Ａ）〜３（Ｃ）に設けられた操作部３５（Ａ）〜３５（Ｃ）に使用者識別情報が入力されると、制御部３７（Ａ）〜３７（Ｃ）は、使用者を特定し、この特定結果に基づいて保管部２４に対する被管理物２３の持ち出しおよび返却の可否を制御する。このように、保管部２４を管理種別毎に有してフロア６，８，１０上に設置されることにより、金庫室の代わりに重要物を管理することができるため、専用の金庫室を建屋に構築する場合と比べて、コストを大幅に低減することができる。
【００８１】
また、保管部２４を管理種別毎に有する複数のユニット３（Ａ）〜３（Ｃ）が複数のフロア６，８，１０上に分散して設置されるため、アクセスし易いフロアとアクセスし難いフロアとに分散して重要物を保管できる。よって、アクセスし易い職員／顧客共用スペース５にアクセス頻度の高い重要物を保管し、アクセスし難い職員スペース７にアクセス頻度の低い重要物を保管することで、アクセスの効率向上とスペースの有効利用とを両立可能となる。つまり、アクセスし易い職員／顧客共用スペース５にアクセス頻度の高い重要物のみを保管することで、アクセスの効率向上を図るとともに、職員／顧客共用スペース５に必要な設置スペースを減らして顧客サービス用のスペースを大きくできる。
【００８２】
また、制御部３７（Ａ）〜３７（Ｃ）が、操作部３５（Ａ）〜３５（Ｃ）に入力された被管理物２３の被管理物識別情報に基づいて、この被管理物２３が保管されている保管部２４を検索することになり、この制御部３７（Ａ）〜３７（Ｃ）による検索結果を、表示部３６（Ａ）〜３６（Ｃ）に表示させることになる。したがって、被管理物２３を保管している保管部２４を容易に捜すことができ、所望の被管理物２３を保管している保管部２４に容易にアクセスすることができる。
【００８３】
また、制御部３７（Ａ）〜３７（Ｃ）が、操作部３５（Ａ）〜３５（Ｃ）に入力された被管理物２３の被管理物識別情報に基づいて、この被管理物２３が保管されている保管部２４を複数のユニット３（Ａ）〜３（Ｃ）に対し検索することになり、この制御部３７（Ａ）〜３７（Ｃ）による検索結果を、当該検索結果の基になる被管理物２３の被管理物識別情報が入力された操作部３５（Ａ）〜３５（Ｃ）を有するユニット３（Ａ）〜３（Ｃ）に設けられた表示部３６（Ａ）〜３６（Ｃ）に表示させることになる。したがって、いずれのユニット３（Ａ）〜３（Ｃ）の操作部３５（Ａ）〜３５（Ｃ）への入力で検索を行っても、複数のユニット３（Ａ）〜３（Ｃ）にわたって被管理物２３を収納している保管部２４を検索できることになり、その検索結果をアクセスしたユニット３（Ａ）〜３（Ｃ）の表示部３６（Ａ）〜３６（Ｃ）で確認することができる。よって、所望の被管理物２３を保管している保管部２４を確実に捜すことができ、所望の被管理物２３を保管している保管部２４にさらに容易にアクセスすることができる。
【００８４】
なお、以上の実施形態においては、被管理物２３それぞれにＩＣタグ２９を設け、保管部２４にＩＣタグリーダ３０を設ける場合を例にとり説明したが、被管理物２３それぞれに被管理物識別情報を識別可能なバーコードを設け、持ち出しおよび返却の度にバーコードリーダでこのバーコードを読み取って、持ち出しおよび返却の区別とともにＲＡＭ３９に記憶させて管理するようにしても良い。
【００８５】
また、以上の実施形態においては、メインユニット３（Ａ）、サブユニット３（Ｂ）およびサブユニット３（Ｃ）のすべてにわたって被管理物識別情報を検索可能としたが、メインユニット３（Ａ）およびサブユニット３（Ｂ）の二つだけで被管理物識別情報を検索可能としても良く、この場合、サブユニット３（Ｃ）の制御部３５（Ｃ）から検索機能をなくすことができる。さらに、少なくともメインユニット３（Ａ）のみ、その中に保管している被管理物の被管理物識別情報を検索可能としても良く、少なくともメインユニット３（Ａ）のみ、その中に保管している被管理物の被管理物識別情報と他のユニット３（Ｂ），３（Ｃ）に保管している被管理物の被管理物識別情報とを検索可能としても良い。
【００８６】
また、以上の実施形態においては、すべての制御部３５（Ａ）〜３５（Ｃ）に検索機能を有する場合を例にとり説明したが、制御部３５（Ａ）〜（Ｃ）には検索機能をなくし、ネットワーク１２上に検索手段を設けても良い。
【００８７】
加えて、上記メインユニット３（Ａ）、サブユニット３（Ｂ）およびサブユニット３（Ｃ）に管理ＰＣをネットワーク１２を介して接続させて、すべてのユニット３（Ａ）〜３（Ｃ）のＲＡＭ３９（Ａ）〜３９（Ｃ）に記憶された保管部識別情報毎の被管理物識別情報等、上記した内容の表示を管理ＰＣで表示可能としても良い。
【符号の説明】
【００８８】
６，８，１０  フロア
２３  被管理物
２４  保管部（保管手段）
３５（Ａ）〜３５（Ｃ）  操作部（入力手段）
３６（Ａ）〜３６（Ｃ）  表示部（表示手段）
３７（Ａ）〜３７（Ｃ）  制御部（使用者特定手段，制御手段，検索手段）
【図１】
2012112096.tif 000003
【図２】
2012112096.tif 000004
【図３】
2012112096.tif 000005
【図４】
2012112096.tif 000006
【図５】
2012112096.tif 000007
【図６】
2012112096.tif 000008
【図７】
2012112096.tif 000009